(57)【要約】【課題】複数種類のカートリッジに対応し，カートリッジの特性に合わせた制御を行う画像形成装置を提供すること。【解決手段】プリンタ１００は，複数種類のカートリッジに対応するものであり，現カートリッジの種類を取得し，現カートリッジが特定種類のカートリッジか否かを判別する。そして，プリンタ１００は，特定種類のカートリッジであると判別した場合には，現像ローラ４１１の回転数を制限する制限モードを設定し，それ以外の場合には，現像ローラ４１１の回転数を制限しない非制限モードを設定する。そして，設定されたモードによって画像形成部１０の各要素を制御する。【選択図】            図４
2013228650.tif 000002
【特許請求の範囲】
【請求項１】
トナーを収容する収容部と，感光体に前記トナーを供給する現像ローラと，を有するカートリッジが装着され，当該カートリッジについて複数種類対応する画像形成装置において，
装着されているカートリッジである現カートリッジが特定種類のカートリッジか否かを判別する判別部と，
前記判別部が前記特定種類のカートリッジであると判別した場合には，現像ローラの回転数を制限する制限モードに設定し，前記判別部が前記特定種類のカートリッジではないと判別した場合には，前記現像ローラの回転数を制限しない非制限モードに設定する設定部と，
カートリッジに収容されたトナーによって印刷を行う印刷部と，
前記設定部によって設定されたモードで前記印刷部を制御する制御部と，
を備えることを特徴とする画像形成装置。
【請求項２】
請求項１に記載する画像形成装置において，
所定の補正条件を満たすことで，前記現像ローラの回転を伴う画質補正を実行する補正部と，
前記非制限モードでは，前記補正条件を成立頻度が高い第１条件に設定し，前記制限モードでは，前記補正条件を前記第１条件よりも成立頻度が低い第２条件に設定する補正条件設定部と，
を備えることを特徴とする画像形成装置。
【請求項３】
請求項１または請求項２に記載する画像形成装置において，
カバーが開状態か閉状態かを検知する検知部と，
所定の初期条件を満たすことで前記現像ローラの回転を伴う初期動作を実行する初期動作部と，
前記非制限モードでは，前記初期条件を前記カバーが開状態から閉状態に変化したこととし，前記制限モードでは，前記初期条件を前記カバーの開閉が検知されてから印刷の機会が与えられたこととする初期条件設定部と，
を備えることを特徴とする画像形成装置。
【請求項４】
請求項１から請求項３のいずれか１つに記載する画像形成装置において，
電源の投入を検知する第２検知部と，
所定の第２初期条件を満たすことで前記現像ローラの回転を伴う第２初期動作を実行する第２初期動作部と，
前記非制限モードでは，前記第２初期条件を前記第２検知部によって電源の投入を検知したこととし，前記制限モードでは，前記第２初期条件を電源の投入が検知されてから印刷の機会が与えられたこととする第２初期条件設定部と，
を備えることを特徴とする画像形成装置。
【請求項５】
請求項１から請求項４のいずれか１つに記載する画像形成装置において，
前記制御部は，前記非制限モードでは印刷対象データの展開を１ページ完了する度に印刷を開始し，前記制限モードでは印刷対象データの展開を複数ページ完了した後に印刷を開始することを特徴とする画像形成装置。
【請求項６】
請求項１から請求項５のいずれか１つに記載する画像形成装置において，
印刷対象データの内容を表示する表示部を備え，
前記制御部は，前記制限モードでは，印刷対象データを受信した後，印刷を開始する前に前記表示部に当該印刷対象データの内容を表示し，印刷指示の入力後に印刷を開始し，前記非制限モードでは印刷対象データを受信した後に印刷を開始することを特徴とする画像形成装置。
【請求項７】
請求項１から請求項６のいずれか１つに記載する画像形成装置において，
前記制御部は，前記非制限モードでは，所定の印刷条件を満たした場合，前記印刷部での印刷速度を減速させ，前記制限モードでは，前記所定の印刷条件を満たした場合，印刷を中止する中止処理を実行することを特徴とする画像形成装置。
【請求項８】
請求項１から請求項７のいずれか１つに記載する画像形成装置において，
前記制御部は，前記非制限モードでは，印刷対象データが複数ページある場合に両面印刷を許可し，前記制限モードでは，印刷対象データが複数ページある場合であっても両面印刷を禁止することを特徴とする画像形成装置。
【請求項９】
請求項１から請求項８のいずれか１つに記載する画像形成装置において，
カートリッジを装着する装着部が複数あり，
前記複数のカートリッジのうち，少なくとも１つの特定のカートリッジはカラー印刷でもモノクロ印刷でも使用され，他のカートリッジはカラー印刷で使用され，
各カートリッジに対応する現像ローラは，前記印刷部による印刷動作中に回転する回転位置と，前記印刷部による印刷動作中に回転しない非回転位置とに移動自在であり，
モノクロ印刷中，前記制限モードでは，前記他のカートリッジに対応する現像ローラを前記非回転位置に配置し，前記非制限モードでは，前記他のカートリッジに対応する現像ローラを前記回転位置に配置する配置部を備えることを特徴とする画像形成装置。
【請求項１０】
請求項９に記載する画像形成装置において，
前記設定部は，前記他のカートリッジのうち，前記特定種類のカートリッジが少なくとも１つある場合には，前記制限モードに設定することを特徴とする画像形成装置。
【請求項１１】
請求項１から請求項１０のいずれか１つに記載する画像形成装置において，
前記判別部は，小粒径のトナーを収容するカートリッジを前記特定種類のカートリッジであると判定し，大粒径のトナーを収容するカートリッジを前記特定種類のカートリッジではないと判定することを特徴とする画像形成装置。
【請求項１２】
請求項１から請求項１０のいずれか１つに記載する画像形成装置において，
前記判別部は，重合トナーを収容するカートリッジを前記特定種類のカートリッジであると判定し，粉砕トナーを収容するカートリッジを前記特定種類のカートリッジではないと判定することを特徴とする画像形成装置。
【発明の詳細な説明】
【技術分野】
【０００１】
本発明は，トナーを収容する収容部と，感光体にトナーを供給する現像ローラとを有するカートリッジが装着され，当該カートリッジについて複数種類対応する電子写真方式の画像形成装置に関する。
【背景技術】
【０００２】
従来から，トナーを収容するカートリッジについて，複数種類のカートリッジに対応する画像形成装置が知られている。カートリッジの種類としては，例えば，カートリッジの容量の大小によって区別される大容量カートリッジ，小容量カートリッジや，トナーの種類によって区別される粉砕トナーカートリッジ，重合トナーカートリッジがある。
【０００３】
前述のように特性が異なる様々な種類のカートリッジが存在することから，例えば特許文献１には，重合トナーを収容したカートリッジと，粉砕トナーを収容したカートリッジとの両方が装着される画像形成装置が提案されている。
【先行技術文献】
【特許文献】
【０００４】
【特許文献１】特開２０００−１７２１３２号公報
【発明の概要】
【発明が解決しようとする課題】
【０００５】
しかしながら，前記した従来の画像形成装置には，次のような問題があった。すなわち，特許文献１の画像形成装置のように，ユーザの用途に応じて，種類が異なるカートリッジを使い分けたとしても，画像形成に関する両カートリッジの制御は使い分けていない。そのため，カートリッジの特性を生かし切れていない可能性がある。
【０００６】
本発明は，前記した従来の画像形成装置が有する問題点を解決するためになされたものである。すなわちその課題とするところは，複数種類のカートリッジに対応し，カートリッジの特性に合わせた制御を行う画像形成装置を提供することにある。
【課題を解決するための手段】
【０００７】
この課題の解決を目的としてなされた画像形成装置は，トナーを収容する収容部と，感光体に前記トナーを供給する現像ローラと，を有するカートリッジが装着され，当該カートリッジについて複数種類対応する画像形成装置であって，装着されているカートリッジである現カートリッジが特定種類のカートリッジか否かを判別する判別部と，前記判別部が前記特定種類のカートリッジであると判別した場合には，現像ローラの回転数を制限する制限モードに設定し，前記判別部が前記特定種類のカートリッジではないと判別した場合には，前記現像ローラの回転数を制限しない非制限モードに設定する設定部と，カートリッジに収容されたトナーによって印刷を行う印刷部と，前記設定部によって設定されたモードで前記印刷部を制御する制御部とを備えることを特徴としている。
【０００８】
本明細書で開示される画像形成装置は，複数種類のカートリッジに対応するものであり，現カートリッジが特定種類のカートリッジか否かを判別する。判別する種類としては，例えば，トナーの収容量に応じて区別される，大容量と小容量とがある。また，収容されているトナーの種類に応じて区別される，大粒径と小粒径とがある。種類の取得方法としては，例えば，カートリッジに記憶されたデータを読み出してもよいし，カートリッジの種類別のメカ構成の違いを検知してもよい。また，ユーザに入力してもらってもよい。そして，画像形成装置は，特定種類のカートリッジであると判別した場合には，そのカートリッジに関する制御について，現像ローラの回転数を制限する制限モードを設定する。
【０００９】
すなわち，カートリッジの種類によっては，現像ローラの回転数が多いほどカートリッジ外へのトナーの漏出が懸念されるものがある。例えば，小粒径のトナーは，大粒径のトナーと比較して流動性に優れ，現像ローラの劣化に伴ってカートリッジから漏れ出す量が多くなる傾向にある。そこで，本明細書で開示される画像形成装置では，カートリッジの種類に応じて，現像ローラの回転数を制限する制御を行うことで，カートリッジの特性を生かすことが期待できる。
【００１０】
また，本明細書で開示される画像形成装置は，所定の補正条件を満たすことで，前記現像ローラの回転を伴う画質補正を実行する補正部と，前記非制限モードでは，前記補正条件を成立頻度が高い第１条件に設定し，前記制限モードでは，前記補正条件を前記第１条件よりも成立頻度が低い第２条件に設定する補正条件設定部とを備えるとよい。すなわち，制限モード中は，補正条件を成立頻度が低い条件に設定することで，現像ローラの回転数を低減できる。一方，非制限モードでは，補正条件を成立頻度が高い条件に設定することで，画質の低下を回避できる。
【００１１】
また，本明細書で開示される画像形成装置は，カバーが開状態か閉状態かを検知する検知部と，所定の初期条件を満たすことで前記現像ローラの回転を伴う初期動作を実行する初期動作部と，前記非制限モードでは，前記初期条件を前記カバーが開状態から閉状態に変化したこととし，前記制限モードでは，前記初期条件を前記カバーの開閉が検知されてから印刷の機会が与えられたこととする初期条件設定部とを備えるとよい。すなわち，制限モード中は，カバーの開閉での初期動作を回避し，印刷の機会が与えられた段階で初期動作を実行することで，現像ローラの回転数を低減できる。一方，非制限モードでは，カバーの開閉の度に初期動作を実行することで，印刷の開始タイミングを早くし，早期に印刷物が得られるようにする方が好ましい。なお，初期動作としては，例えば現像ローラを回転させて新品検知を行うウォームアップやキャリブレーションが該当する。
【００１２】
また，本明細書で開示される画像形成装置は，電源の投入を検知する第２検知部と，所定の第２初期条件を満たすことで前記現像ローラの回転を伴う第２初期動作を実行する第２初期動作部と，前記非制限モードでは，前記第２初期条件を前記第２検知部によって電源の投入を検知したこととし，前記制限モードでは，前記第２初期条件を電源の投入が検知されてから印刷の機会が与えられたこととする第２初期条件設定部とを備えるとよい。すなわち，制限モード中は，電源投入時の第２初期動作を回避し，印刷の機会が与えられた段階で第２初期動作を実行することで，現像ローラの回転数を低減してカートリッジ外へのトナーの漏出を回避できる。一方，非制限モードでは，電源の投入時に第２初期動作を実行することで，印刷の開始タイミングを早くし，早期に印刷物が得られるようにする方が好ましい。なお，第２初期動作としては，例えば現像ローラを回転させて新品検知を行うウォームアップやキャリブレーションが該当する。
【００１３】
また，前記制御部は，前記非制限モードでは印刷対象データの展開を１ページ完了する度に印刷を開始し，前記制限モードでは印刷対象データの展開を複数ページ完了した後に印刷を開始するとよい。すなわち，制限モード中は，できる限り複数のページの展開が完了した後に印刷を開始することで，展開待ちに伴う現像ローラの空回しを回避できる。一方，非制限モードでは，１ページの展開が完了する度に印刷を開始することで，早期に印刷物が得られるようにする方が好ましい。
【００１４】
また，本明細書で開示される画像形成装置は，印刷対象データの内容を表示する表示部を備え，前記制御部は，前記制限モードでは，印刷対象データを受信した後，印刷を開始する前に前記表示部に当該印刷対象データの内容を表示し，印刷指示の入力後に印刷を開始し，前記非制限モードでは印刷対象データを受信した後に印刷を開始するとよい。すなわち，制限モード中は，印刷前に印刷対象データの内容を表示し，ユーザが本当に必要な場合にその印刷対象データの印刷を実行する。これにより，印刷実行回数が減り，その結果として現像ローラの回転数の低減が期待できる。
【００１５】
また，前記制御部は，前記非制限モードでは，所定の印刷条件を満たした場合，前記印刷部での印刷速度を減速させ，前記制限モードでは，前記所定の印刷条件を満たした場合，印刷を中止する中止処理を実行するとよい。減速印刷は，紙間が広くなり，現像ローラの空回しが長くなる。そこで，制限モード中は，減速印刷を実行する条件を満たしたとしても，減速印刷を行わない方が好ましい。
【００１６】
また，前記制御部は，前記非制限モードでは，印刷対象データが複数ページある場合に両面印刷を許可し，前記制限モードでは，印刷対象データが複数ページある場合であっても両面印刷を禁止するとよい。両面印刷は，用紙を反転させている間，現像ローラを空回しすることになる。そこで，制限モード中は，印刷対象ページが複数ページあったとしても，両面印刷を行わない方が好ましい。
【００１７】
また，本明細書で開示される画像形成装置は，カートリッジを装着する装着部が複数あり，前記複数のカートリッジのうち，少なくとも１つの特定のカートリッジはカラー印刷でもモノクロ印刷でも使用され，他のカートリッジはカラー印刷で使用され，各カートリッジに対応する現像ローラは，前記印刷部による印刷動作中に回転する回転位置と，前記印刷部による印刷動作中に回転しない非回転位置とに移動自在であり，モノクロ印刷中，前記制限モードでは，前記他のカートリッジに対応する現像ローラを前記非回転位置に配置し，前記非制限モードでは，前記他のカートリッジに対応する現像ローラを前記回転位置に配置する配置部を備えるとよい。すなわち，制限モードでは，モノクロ印刷中，カラー印刷にのみ使用される他のカートリッジに対応する現像ローラは回転しない方が好ましい。一方，非制限モードでは，他のカートリッジに対応する現像ローラも回転位置に配置することで，カラー印刷を行う際に現像ローラを移動させる処理が不要であり，早期に印刷を開始できる。
【００１８】
また，前記設定部は，前記他のカートリッジのうち，前記特定種類のカートリッジが少なくとも１つある場合には，前記制限モードに設定するとよい。他のカートリッジは，例えば，共通の駆動源によって現像ローラが回転駆動されるカートリッジであるとよい。他のカートリッジのうち１つでも特定種類に属するカートリッジがあれば，そのカートリッジの特性を生かすために制限モードに設定する方が好ましい。
【００１９】
また，前記判別部は，小粒径のトナーを収容するカートリッジを前記特定種類のカートリッジであると判定し，大粒径のトナーを収容するカートリッジを前記特定種類のカートリッジではないと判定するとよい。小粒径のトナーは，現像ローラの回転に伴ってカートリッジ外に漏れが生じやすい。そのため，現像ローラの回転数を低減する制限モードで動作した方が好ましい。なお，前記判別部は，重合トナーを収容するカートリッジを前記特定種類のカートリッジであると判定し，粉砕トナーを収容するカートリッジを前記特定種類のカートリッジではないと判定してもよい。重合トナーは，粉砕トナーと比較して平均粒径が小さい傾向にある。そのため，現像ローラの回転数を低減する制限モードで動作した方が好ましい。
【発明の効果】
【００２０】
本発明によれば，複数種類のカートリッジに対応し，カートリッジの特性に合わせた制御を行う画像形成装置が実現される。
【図面の簡単な説明】
【００２１】
【図１】実施の形態にかかるプリンタの概略構成を示す斜視図である。
【図２】図１に示したプリンタの内部構成を示す概念図である。
【図３】プリンタの電気的構成を示すブロック図である。
【図４】実施の形態にかかるプリンタの，カートリッジの種類別の動作態様を示す図である。
【図５】実施の形態にかかるジョブ受信処理の手順を示すフローチャートである。
【図６】実施の形態にかかる初期処理の手順を示すフローチャートである。
【図７】実施の形態にかかる画質改善処理の手順を示すフローチャートである。
【図８】実施の形態にかかる印刷処理の手順を示すフローチャートである。
【図９】実施の形態にかかる圧接離間処理の手順を示すフローチャートである。
【図１０】実施の形態にかかるＦＡＸ受信処理の手順を示すフローチャートである。
【図１１】実施の形態にかかるＦＡＸ印刷処理の手順を示すフローチャートである。
【発明を実施するための形態】
【００２２】
以下，本発明にかかる画像形成装置を具体化した実施の形態について，添付図面を参照しつつ詳細に説明する。本形態は，カラー印刷が可能な電子写真方式のプリンタに本発明を適用したものである。
【００２３】
［プリンタの構成］
実施の形態のプリンタ１００（画像形成装置の一例）は，図１に示すように，シートに画像を形成する画像形成部１０（印刷部の一例）と，画像形成部１０を覆うカバー１５と，画像形成部１０の上面に位置し，液晶ディスプレイからなる表示部４１（表示部の一例）と，スタートキー，ストップキー，テンキー等から構成されるボタン群４２とを備えた操作パネル４０が設けられ，この操作パネル４０により動作状況の表示やユーザによる入力操作が可能になっている。
【００２４】
また，プリンタ１００は，底部に位置し，装置本体に対して着脱可能であり，印刷前のシートを収容する給紙トレイ９１と，上面に位置し，印刷後のシートを載置する排紙トレイ９２とを有している。
【００２５】
また，カバー１５の一部は，開閉自在に設けられており，開状態にすることで装置内部の消耗品（例えば，トナーを収容するカートリッジや搬送ベルト）の交換が可能になる。一方，閉状態にすることで印刷や読み取りが可能になる。
【００２６】
［画像形成部の構成］
図２は，画像形成部１０の構成を示している。画像形成部１０は，電子写真方式によってトナー像を形成し，そのトナー像を用紙に転写するプロセス部５０（装着部の一例）と，プロセス部５０に光を照射する露光装置５３と，用紙上の未定着のトナーを定着させる定着装置８と，画像転写前の用紙を載置する給紙トレイ９１と，画像転写後の用紙を載置する排紙トレイ９２と，プロセス部５０の転写位置に用紙を搬送する搬送ベルト７とを備えている。
【００２７】
また，プリンタ１００内には，底部に位置する給紙トレイ９１に収容された用紙が，給紙ローラ７１，レジストローラ７２，プロセス部５０，定着装置８を通り，排紙ローラ７６を介して上部の排紙トレイ９２への導かれるように，略Ｓ字形状の搬送路１１（図２中の一点鎖線）が設けられている。
【００２８】
プロセス部５０は，カラー画像の形成が可能であり，シアン（Ｃ），マゼンタ（Ｍ），イエロー（Ｙ），ブラック（Ｋ）の各色に対応するプロセス部を並列に配置している。具体的には，Ｃ色の画像を形成するプロセス部５０Ｃと，Ｍ色の画像を形成するプロセス部５０Ｍと，Ｙ色の画像を形成するプロセス部５０Ｙと，Ｋ色の画像を形成するプロセス部５０Ｋとを備えている。そして，用紙の搬送方向において，下流側からプロセス部５０Ｃ，５０Ｍ，５０Ｙ，５０Ｋの順に等間隔に配置されている。なお，プロセス部の順番はこれに限定するものではない。
【００２９】
プロセス部５０Ｋは，ドラム状の感光体１と，感光体１の表面を一様に帯電する帯電装置２と，感光体１上の静電潜像に対してトナーによる現像を行う現像装置４と，感光体１上のトナー像を用紙に転写させる転写装置５とを有している。また，現像装置４は，トナーを収容するトナータンク４１２（収容部の一例）と，トナータンク４１２内のトナーを感光体１に供給する現像ローラ４１１とを有している。感光体１および転写装置５は，搬送ベルト７に対して接触配置されている。そして，感光体１は，転写装置５に対して搬送ベルト７を挟んで対向している。他のプロセス部５０Ｃ，５０Ｍ，５０Ｙについても，プロセス部５０Ｋと同様の構成である。
【００３０】
また，各プロセス部５０Ｃ，５０Ｍ，５０Ｙ，５０Ｋのうち，現像装置４は，プリンタ１００本体に対して着脱可能なカートリッジになっている。そのため，トナータンク４１２内にトナーが無くなった場合は，カバー１５の一部を開放し，現像装置４が個別に交換される。なお，本形態では，現像装置４がカートリッジであるものとして説明するが，例えば，現像装置４を構成するトナータンク４１２のみが着脱可能なカートリッジであっても，現像装置４と他の構成要素（例えば感光体１）とが一組で着脱可能なカートリッジであってもよい。
【００３１】
また，プリンタ１００の各プロセス部５０Ｃ，５０Ｍ，５０Ｙ，５０Ｋは，現像ローラ４１１を，感光体１と当接する動作位置と，感光体１から離間する非動作位置との少なくとも２箇所に移動できる機構を備えている。各プロセス部５０Ｃ，５０Ｍ，５０Ｙ，５０Ｋは，現像ローラ４１１が動作位置にある状態では，用紙の搬送動作に伴って駆動源となるモータからの駆動力が供給され，その駆動力によって現像ローラ４１１が回転駆動される。一方，現像ローラ４１１が非動作位置にある状態では，現像ローラ４１１が回転駆動されない。
【００３２】
各プロセス部５０Ｃ，５０Ｍ，５０Ｙ，５０Ｋでは，感光体１の表面が帯電装置２によって一様に帯電される。その後，露光装置５３からの光により露光され，用紙に形成すべき画像の静電潜像が感光体１上に形成される。次いで，現像装置４の現像ローラ４１１を介して，トナータンク４１２内のトナーが感光体１に供給される。これにより，感光体１上の静電潜像は，トナー像として可視像化される。
【００３３】
画像形成部１０は，給紙トレイ９１に載置されている用紙を１枚ずつ取り出し，その用紙を搬送ベルト７上に搬送する。そして，プロセス部５０にて形成されたトナー像をその用紙に転写する。このとき，カラー印刷では，各プロセス部５０Ｃ，５０Ｍ，５０Ｙ，５０Ｋにてトナー像が形成され，用紙上で各トナー像が重ね合わせられる。一方，モノクロ印刷では，プロセス部５０Ｋのみでトナー像が形成され，用紙に転写される。その後は，トナー像が転写された用紙を定着装置８に搬送し，トナー像をその用紙に熱定着させる。そして，定着後の用紙を排紙トレイ９２に排出する。
【００３４】
また，プリンタ１００内には，用紙を反転させるための反転搬送路１２（図２中の二点鎖線）が設けられている。プリンタ１００は，両面印刷を行う際，片面印刷済みの用紙を，排紙ローラ７６まで搬送した後，当該排紙ローラ７６で搬送を停止し，その後，当該用紙を逆向きに搬送し，搬送路１１上の定着装置８と排紙ローラ７６との間に位置する分岐点１３によって搬送路１１から反転搬送路１２に分岐し，プロセス部５０と給紙トレイ９１との間を通って，搬送路１１上の給紙ローラ７１とレジストローラ７２との間に位置する合流点１４から再び搬送路１１に合流するように導く。その後，プリンタ１００は，この片面印刷済みの用紙をプロセス部５０に送り込み，反対面への印刷を行う。これにより，両面印刷を行うことができる。
【００３５】
［プリンタの電気的構成］
続いて，プリンタ１００の電気的構成について説明する。プリンタ１００は，図３に示すように，ＣＰＵ３１と，ＲＯＭ３２と，ＲＡＭ３３と，ＮＶＲＡＭ（Non Volatile RAM）３４とを備えた制御部３０を有している。制御部３０は，画像形成部１０と，操作パネル４０と，カバーセンサ１６（検知部の一例）と，駆動モータ１７と，ネットワークインターフェース３６と，ＦＡＸインターフェース３７とに電気的に接続している。
【００３６】
ＲＯＭ３２は，プリンタ１００を制御するための各種制御プログラムや画像処理プログラム，各種設定，初期値等を記憶している。ＲＡＭ３３は，各種制御プログラムが読み出される作業領域として，あるいは各種のインターフェースを介して送られてくる画像データを一時的に記憶する記憶領域として，利用される。ＮＶＲＡＭ３４は，不揮発性を有する記憶手段であって，各種設定や画像データ等を保存する記憶領域として利用される。
【００３７】
ＣＰＵ３１は，プリンタ１００における画像形成機能等の各種機能を実現するための演算を実行し，制御の中枢となるものである。ＣＰＵ３１は，ＲＯＭ３２から読み出した制御プログラムに従って，その処理結果をＲＡＭ３３またはＮＶＲＡＭ３４に記憶させながら，プリンタ１００の各構成要素を制御する。
【００３８】
ネットワークインターフェース３６は，ネットワークに接続され，このネットワークインターフェース３６を介してＰＣ２００やサーバ４００等の他の情報処理装置とのデータ通信を可能にしている。ＦＡＸインターフェース３７は，電話回線に接続され，このＦＡＸインターフェース３７を介して他の情報処理装置とのデータ通信を可能にしている。
【００３９】
カバーセンサ１６は，カートリッジ等の消耗品の交換や装置内のメンテナンスにあたって開放されるカバー１５が開状態であるか否かを検知するセンサである。プリンタ１００は，カバー１５の状態が閉状態から開状態に変化することでカバー１５の開放を検知し，カバー１５の状態が開状態から閉状態に変化することでカバー１５の閉塞を検知する。
【００４０】
駆動モータ１７は，搬送ベルト７，給紙ローラ７１等，用紙搬送に利用される回転部材の駆動源である。各プロセス部５０Ｃ，５０Ｍ，５０Ｙ，５０Ｋの現像ローラ４１１についても駆動モータ１７によって回転駆動される。
【００４１】
また，プリンタ１００は，各プロセス部５０Ｃ，５０Ｍ，５０Ｙ，５０Ｋに装着される各カートリッジについて，複数種類に対応する。そして，プリンタ１００は，各プロセス部５０Ｃ，５０Ｍ，５０Ｙ，５０Ｋの所定の装着箇所に装着されているカートリッジの種類を取得し，取得した種類をＮＶＲＡＭ３４に記憶する。カートリッジの種類は，例えば，カートリッジに付設されているＩＣチップから種類に関する情報を読み出すことで取得できる。また，例えば，カートリッジの種類ごとにメカ構造に違いがある場合には，その違いを検知することで判断できる。また，例えば，カートリッジの種類あるいは型番をユーザに入力してもらってもよい。
【００４２】
カートリッジの種類の分類としては，トナーの色の他，例えば，トナーの平均粒径や製造方法による分類がある。トナーの製造方法による分類では，次のような種類および特徴がある。
重合トナー：樹脂粒子と着色剤粒子とを化学反応で結合させたトナー。後述の粉砕トナーと比較して粒子の大きさが比較的均一で，平均粒径が小さい。現像ローラ４１１の劣化の進行に伴ってカートリッジ外へ漏れ易くなることから，粉砕トナーと比較して，カートリッジの使用寿命（例えば，現像ローラ４１１の回転数によって規定）が短い。
粉砕トナー：原料であるプラスチックを熱で溶かし，冷却した後に粉砕して得られるトナー。重合トナーと比較して，平均粒径が大きい。
【００４３】
なお，本形態では，重合トナーであるか否かの情報を取得し，重合トナーに代表される小粒径のトナーを収容するカートリッジを「小粒径カートリッジ」とし，粉砕トナーに代表される大粒径のトナーを収容するカートリッジを「大粒径カートリッジ」とする。そして，本形態のカートリッジは，小粒径カートリッジであるか否かを判別するための情報を，付設されているＩＣチップに記憶している。
【００４４】
［プリンタの制御］
続いて，プリンタ１００の制御について説明する。本形態のプリンタ１００は，各プロセス部５０Ｃ，５０Ｍ，５０Ｙ，５０Ｋの現カートリッジが小粒径カートリッジか大粒径カートリッジかに応じて，制御を切り換える。
【００４５】
小粒径のトナーは，大粒径のトナーと比較して流動性に優れ，現像ローラの劣化が顕著になるに連れて，トナーの漏出を防止するシール部材（不図示）と現像ローラ４１１との隙間から漏出するトナーの量が多くなる特徴を有する。現像ローラ４１１は，使用量が多くなるほど，すなわち回転数が多くなるほど，劣化する。そこで，本形態のプリンタ１００は，現カートリッジが小粒径カートリッジであれば，現像ローラ４１１の回転数を低減することが可能な動作モードに切り換える。本形態では，このような動作モードを制限モードと称する。また，本形態では，制限モードではない動作モードを非制限モードと称する。
【００４６】
図４は，具体的に，各プロセス部５０Ｃ，５０Ｍ，５０Ｙ，５０Ｋの現カートリッジの種類別に，どのような制御を行うかを一覧にしたものである。図４中，「小」は，小粒径カートリッジを意味し，「大」は大粒径カートリッジを意味する。また，プリンタ１００は，「Ｋ」色は，カラー印刷でもモノクロ印刷でも使用する。「Ｙ」「Ｍ」「Ｃ」の各色は，カラー印刷のみで使用する。具体的に，Ｋは，モノクロ印刷時もカラー印刷時も，現像ローラ４１１が動作位置に配置され，現像ローラ４１１が回転する状態になる。ＹＭＣは，モノクロ印刷時，現像ローラ４１１が非動作位置に配置され，現像ローラ４１１が回転しない状態になり，カラー印刷時，現像ローラ４１１が動作位置に配置され，現像ローラ４１１が回転する状態になる。そのため，プリンタ１００は，ＹＭＣは同じ制御対象となり，ＹＭＣのうち少なくとも１つが小粒径カートリッジであれば，ＹＭＣ全てが小粒径カートリッジとして扱う。
【００４７】
「ウォーミングアップ」は，定着装置８の昇温動作や，搬送ベルト７の清掃動作等，各構成要素が初期動作を行う処理である。本形態のプリンタ１００は，カートリッジのウォーミングアップとして，現像ローラ４１１の回転を伴う新品検知を行う。具体的に，本形態のプリンタ１００では，ウォーミングアップ時に，現像ローラ４１１の駆動伝達系の一部が所定量変位し，さらにカートリッジが新品のときの変位量と，カートリッジが中古のときの変位量とが異なる。そのため，その変位量を検知して中古か否かを判断する。現像ローラ４１１の回転を伴う新品検知については，例えば，特開２００５−５５５４４号公報に開示されているような公知の技術を適用すればよい。なお，上述の新品検知は，現像ローラ４１１と感光体１とが圧接した状態で行われる。換言すると，現像ローラ４１１を感光体１から離間させることで，新品検知の実行を制限できる。そのため，例えばＫのみ新品検知を行う場合には，Ｋの現像ローラ４１１の動作位置に配置し，ＹＭＣの現像ローラ４１１を非動作位置に配置する。
【００４８】
プリンタ１００は，図４中，ウォーミングアップの項目が「有」の場合には，電源ＯＮあるいはカバー１５が開状態から閉状態に変化したことを条件として，ウォーミングアップが実行される。この「有」の場合の制御が，前記した非制限モードの一例となる。一方，ウォーミングアップの項目が「無」の場合には，電源ＯＮやカバー１５の変化の際にウォーミングアップが実行されず，電源ＯＮあるいはカバー１５が開状態から閉状態に変化した後であって，印刷の機会が与えられたことを条件として，当該印刷の前にウォーミングアップが実行される。この「無」の場合には，印刷が開始されるまでの間に，電源のオンオフやカバー１５の開閉が繰り返されたとしてもウォーミングアップが実行されない。その結果として，現像ローラ４１１の回転機会の低減が期待できる。この「無」の場合の制御が，前記した制限モードの一例となる。
【００４９】
具体的には，ＫＹＭＣの全色が小粒径カートリッジであれば（事例１），全カートリッジについて「無」の制御を行う。また，ＹＭＣのうち１つでも小粒径カートリッジがあればＹＭＣ全てを小粒径カートリッジとして扱うため，Ｋが小粒径カートリッジであり，ＹＭＣに１つでも小粒径カートリッジがあれば（事例５），全カートリッジについて「無」の制御を行う。
【００５０】
一方，ＫＹＭＣの全色が大粒径カートリッジであれば（事例２），全カートリッジについて「有」の制御を行う。また，Ｋが小粒径カートリッジであり，ＹＭＣ全てが大粒径カートリッジであれば（事例３），ＹＭＣについて「有」の制御を行い，Ｋについては「無」の制御を行う。一方，Ｋが大粒径カートリッジであり，ＹＣＭの全てが小粒径カートリッジである（事例４），あるいはＹＣＭに小粒径カートリッジが含まれるのであれば（事例６），Ｋについて「有」の制御を行い，ＹＭＣについては「無」の制御を行う。
【００５１】
「自動両面印刷」は，２ページ以上の印刷ジョブの場合に，自動的に両面印刷を行う処理である。両面印刷は，用紙を反転搬送路１２を経由して反転させている間，現像ローラ４１１を空回しすることになる。そこで，プリンタ１００は，制限モードとして，自動両面印刷を禁止することで，現像ローラ４１１の空回しの機会を低減する。非制限モードでは，自動両面印刷を許可する。
【００５２】
具体的には，ＫＹＭＣの全色が大粒径カートリッジであれば（事例２），現像ローラ４１１の空回しによる影響が少ないため，自動両面印刷を許可する。一方，ＫＹＭＣのうち１つでも小粒径カートリッジがあれば（事例１，事例３〜６），現像ローラ４１１の空回しの防止を優先し，自動両面印刷を禁止する。
【００５３】
「半速印刷」は，印刷速度を落として印刷する処理である。半速印刷は，印刷対象が厚紙であったり，ハガキである場合に設定される。この半速印刷では，小サイズ紙を定着装置８に通紙するため，定着ローラに温度ムラが発生し易い。そのため，半速印刷の用紙搬送制御では，この温度ムラを緩和するために，紙間を広くする。その結果として現像ローラ４１１の空回しの期間も長くなる。そこで，プリンタ１００は，制限モードとして，半速印刷となる印刷の設定を禁止することで，現像ローラ４１１の空回しの機会を低減する。非制限モードでは，半速印刷を許可する。
【００５４】
具体的には，ＫＹＭＣの全色が大粒径カートリッジであれば（事例２），現像ローラ４１１の空回しによる影響が少ないため，半速印刷となる印刷の設定を許可する。一方，ＫＹＭＣのうち１つでも小粒径カートリッジがあれば（事例１，事例３〜６），現像ローラ４１１の空回しの防止を優先し，半速印刷となる印刷の設定を禁止する。
【００５５】
「ＦＡＸメモリ印刷」は，受信したＦＡＸジョブについて，印刷対象データとなるＦＡＸデータのメモリへの展開を複数ページ完了した後に，印刷を開始する制御である。ＦＡＸメモリ印刷は，ＦＡＸジョブを受信してから１ページの展開が完了する度に印刷を開始する通常のＦＡＸ印刷制御と比較して，印刷開始が遅れるものの，展開待ちに伴う現像ローラ４１１の空回しを低減することができることから，制限モードの一例となる。なお，１ページの展開が完了する度に印刷を開始する通常のＦＡＸ印刷制御が，非制限モードの一例となる。
【００５６】
具体的には，Ｋが小粒径カートリッジであれば（事例１，３，５），カラーであってもモノクロであってもトナーが使用されるため，どのＦＡＸジョブについてもＦＡＸメモリ印刷を行う。一方，ＫＹＭＣの全色が大粒径カートリッジであれば（事例２），ＦＡＸメモリ印刷を行わず，１ページの展開が完了する度に印刷を開始する。また，Ｋが大粒径カートリッジであり，ＹＭＣの少なくとも１つが小粒径カートリッジであれば（事例４，６），ＦＡＸジョブがカラー印刷を行うジョブであればＦＡＸメモリ印刷を行う。ＦＡＸジョブがモノクロ印刷を行うジョブであれば，ＹＭＣの各現像ローラ４１１を感光体１から離間した状態とし，ＹＭＣを使用しない。そのため，ＦＡＸメモリ印刷を行わず，１ページの展開が完了する度に印刷を開始する。
【００５７】
「ＦＡＸ表示受信」は，ＦＡＸジョブを受信した場合に，即時に印刷を開始せずに，印刷対象となるＦＡＸデータを表示部４１に表示し，さらにユーザに印刷を実行するか否かを問い合わせる制御である。そして，ユーザから印刷指示が入力されたことを条件として，印刷を開始し，キャンセル指示が入力された場合には印刷を実行せずに当該印刷ジョブを消去する。ＦＡＸ表示受信は，印刷前に印刷対象データの内容を表示し，ユーザが不要な印刷を回避することから，現像ローラ４１１の回転数の低減が期待できる。そのため，ＦＡＸ表示受信は，制限モードの一例となる。非制限モードでは，ＦＡＸデータの受信後に即時に印刷を開始する。
【００５８】
具体的には，Ｋが小粒径カートリッジであれば（事例１，３，５），カラーであってもモノクロであってもトナーが使用されるため，どのＦＡＸジョブについてもＦＡＸ表示受信を行う。一方，ＫＹＭＣの全色が大粒径カートリッジであれば（事例２），ＦＡＸ表示受信を行わず，ＦＡＸデータの受信後に即時に印刷を開始する。また，Ｋが大粒径カートリッジであり，ＹＭＣの少なくとも１つが小粒径カートリッジであれば（事例４，６），ＦＡＸジョブがカラー印刷を行うジョブであればＦＡＸ表示受信を行う。ＦＡＸジョブがモノクロ印刷を行うジョブであれば，ＹＭＣを使用しないため，ＦＡＸ表示受信を行わず，ＦＡＸデータの受信後に即時に印刷を開始する。
【００５９】
「補正条件」は，特定の画像パターンを形成する補正処理を実行する条件である。補正処理としては，例えばレジストパターンを形成する位置ずれ補正や，濃度パターンを形成する濃度補正が該当する。そして，補正条件としては，例えば，利用回数，経過時間，温度変化量が適用可能である。プリンタ１００は，制限モードとして，補正条件を厳しくし，補正処理の実行頻度を下げることで，特定の画像パターンの形成に伴う現像ローラ４１１の回転数を低減する。
【００６０】
具体的には，ＫＹＭＣの全色が大粒径カートリッジであれば（事例２），現像ローラ４１１の空回しによる影響が少ないため，補正条件を緩くし，補正処理の実行頻度を上げる。一方，ＫＹＭＣのうち１つでも小粒径カートリッジがあれば（事例１，事例３〜６），現像ローラ４１１の空回しの防止を優先し，補正条件を厳しくし，補正処理の実行頻度を下げる。例えば，利用回数を補正条件とすれば，閾値となる回数を少なくするほど補正条件が緩くなり，多くするほど補正条件が厳しくなる。また，例えば，カートリッジを装着してからの経過時間を補正条件とすれば，閾値となる時間を短くするほど補正条件が緩くなり，長くするほど補正条件が厳しくなる。また，補正条件を，非制限モードでは，所定条件（例えば電源オンやカバー開閉）を満たすことで実行し，制限モードでは当該所定条件を満たしたとしても実行しないとしてもよい。
【００６１】
「ＹＭＣ現像ローラ位置」は，モノクロ印刷時の，ＹＭＣの各現像ローラ４１１と，感光体１との位置関係を意味する。プリンタ１００は，ＹＭＣについてモノクロ印刷時に使用しない。一方で，モノクロ印刷時であってもＹＭＣに対応する各感光体１は回転駆動されるため，現像ローラ４１１が感光体１と圧接する位置に配置されている場合には，擦れ等の摩耗を防止するため，感光体１と連動させて現像ローラ４１１も回転させなければならない。そこで，プリンタ１００は，制限モードとして，ＹＭＣの各現像ローラ４１１を感光体１から離間した位置に移動させ，感光体１の回転に伴う現像ローラ４１１の回転数を低減する。非制限モードでは，現像ローラ４１１を感光体１に圧接したままとする。
【００６２】
具体的には，ＫＹＭＣの全色が大粒径カートリッジであれば（事例２），あるいはＹＭＣの全てが大粒径カートリッジであれば（事例３），現像ローラ４１１の空回しによる影響が少ないため，ＹＭＣの現像ローラ４１１を圧接したままとする。圧接したままとすることで，次のジョブでカラー印刷を行う場合に，早期に対応できる。一方，ＹＭＣのうち１つでも小粒径カートリッジがあれば（事例１，事例４〜６），現像ローラ４１１の空回しの防止を優先し，モノクロ印刷時に，ＹＭＣの現像ローラ４１１を，感光体１から離間させる。
【００６３】
［ジョブ受信処理］
続いて，上述したプリンタ１００の制御を実現するジョブ受信処理（判別部，設定部，制御部，補正部，補正条件設定部，検知部，初期動作部，初期条件設定部，第２検知部，第２初期条件設定部の一例）について，図５のフローチャートを参照しつつ説明する。このジョブ受信処理は，プリンタ１００の電源が投入されたことを契機に，ＣＰＵ３１によって実行される。
【００６４】
ジョブ受信処理では，先ず，各構成要素の初期動作を行うウォーミングアップを必要に応じて行う初期処理を実行する（Ｓ１０１，第２初期動作部，第２初期条件設定部の一例）。図６に，Ｓ１０１の初期処理の手順を示す。
【００６５】
初期処理では，先ず，各プロセス部５０Ｃ，５０Ｍ，５０Ｙ，５０Ｋの現カートリッジの種類を判別する（Ｓ２０１，判別部の一例）。本形態では，各カートリッジのＩＣチップから，色と，小粒径カートリッジか大粒径カートリッジかの情報とを読み出す。読み出した情報は，ＮＶＲＡＭ３４に記憶する。
【００６６】
次に，全色が小粒径カートリッジか否かを判断する（Ｓ２０２）。全色が小粒径カートリッジであれば（Ｓ２０２：ＹＥＳ），全色のウォーミングアップを保留したことを意味する保留フラグをＯＮし（Ｓ２１１），各プロセス部５０Ｃ，５０Ｍ，５０Ｙ，５０Ｋのウォーミングアップを行うことなく，初期処理を終了する。すなわち，全色について，電源投入時での，ウォーミングアップによる現像ローラ４１１の回転を回避する。
【００６７】
なお，Ｓ２１１での保留フラグは，プロセス部５０Ｃ，５０Ｍ，５０Ｙ，５０Ｋごとにウォーミングアップを保留したか否かを記憶する情報であり，ＮＶＲＡＭ３４に記憶される。
【００６８】
一方，少なくとも１つに大粒径カートリッジがある場合には（Ｓ２０２：ＮＯ），全色が大粒径カートリッジか否かを判断する（Ｓ２０３）。全色が大粒径カートリッジであれば（Ｓ２０３：ＹＥＳ），全プロセス部５０Ｃ，５０Ｍ，５０Ｙ，５０Ｋについて，現像ローラ４１１が感光体１に圧接した状態で，ウォーミングアップを開始する（Ｓ２２１）。すなわち，電源投入時に，全色についてウォーミングアップを行い，印刷の早期開始を可能にする。Ｓ２２１の後は，初期処理を終了する。
【００６９】
少なくとも１つに小粒径カートリッジがある場合には（Ｓ２０３：ＮＯ），Ｋが小粒径カートリッジか否かを判断する（Ｓ２０４）。Ｋが小粒径カートリッジの場合には（Ｓ２０４：ＹＥＳ），ＹＭＣの全てが大粒径カートリッジか否かを判断する（Ｓ２３１）。ＹＭＣの全てが大粒径カートリッジの場合には（Ｓ２３１：ＹＥＳ），ＹＭＣのプロセス部について，現像ローラ４１１を感光体１に圧接させ，ウォーミングアップを開始する（Ｓ２３２）。Ｓ２３２の後，あるいはＹＭＣのうち少なくとも１つ小粒径カートリッジがある場合には（Ｓ２３１：ＮＯ），ウォーミングアップが行われていない色について保留フラグをＯＮし（Ｓ２３３），初期処理を終了する。
【００７０】
Ｋが小粒径カートリッジでなければ（Ｓ２０４：ＮＯ），Ｋが大粒径カートリッジか否かを判断する（Ｓ２０５）。Ｋが大粒径カートリッジの場合には（Ｓ２０５：ＹＥＳ），プロセス部５０Ｋについて，現像ローラ４１１を感光体１に圧接させ，ウォーミングアップを開始する（Ｓ２４１）。Ｓ２４１の後，ＹＭＣについてはウォーミングアップが行われていないことから，ＹＭＣについて保留フラグをＯＮし（Ｓ２４２），初期処理を終了する。
【００７１】
Ｋが大粒径カートリッジでなければ（Ｓ２０５：ＮＯ），Ｋについて小粒径カートリッジか大粒径カートリッジかの情報を取得できてきない。そのため，表示部４１にエラーメッセージを報知する（Ｓ２０６）。なお，エラーの報知方法は，エラーメッセージの表示の他，エラーメッセージのメール送信であってもよいし，音声メッセージの実行であってもよい。Ｓ２０６の後は，初期処理を終了する。
【００７２】
図５のジョブ受信処理の説明に戻り，Ｓ１０１の後は，画質に関する補正処理を必要に応じて実行する画質改善処理を実行する（Ｓ１０２）。図７に，Ｓ１０２の画質改善処理の手順を示す。
【００７３】
画質改善処理では，先ず，全色が大粒径カートリッジか否かを判断する（Ｓ３０１）。全色が大粒径カートリッジであれば（Ｓ３０１：ＹＥＳ），補正の実行条件を，成立頻度が高い補正実行条件αに設定する（Ｓ３０２，補正条件設定部の一例）。一方，少なくとも１つに小粒径カートリッジがあれば（Ｓ３０１：ＮＯ），補正の実行条件を，補正実行条件αよりも成立条件が厳しく，成立頻度が低い補正実行条件βに設定する（Ｓ３１１，補正条件設定部の一例）。例えば，利用回数を補正条件とすれば，閾値となる回数を，α＜βとする。また，例えば，カートリッジを装着してからの経過時間を補正条件とすれば，閾値となる時間長を，α＜βとする。また，例えば，所定期間における温度変化量を補正条件とすれば，閾値となる変化量を，α＜βとする。
【００７４】
Ｓ３０２あるいはＳ３１１による補正実行条件の設定後は，現時点で補正実行条件を満たすか否かを判断する（Ｓ３０３）。補正実行条件を満たす場合には（Ｓ３０３：ＹＥＳ），補正処理を実行する（Ｓ３２１，補正部の一例）。Ｓ３２１の後，あるいは補正実行条件を満たしていない場合には（Ｓ３０３：ＮＯ），画質改善処理を終了する。
【００７５】
図５のジョブ受信処理の説明に戻り，Ｓ１０２の後は，印刷ジョブを受信したか否かを判断する（Ｓ１０３）。印刷ジョブを受信した場合には（Ｓ１０３：ＹＥＳ），プロセス部５０を制御し，印刷ジョブの印刷データを印刷する印刷処理を実行する（Ｓ１１１）。図８に，Ｓ１１１の印刷処理の手順を示す。
【００７６】
印刷処理では，先ず，各プロセス部５０Ｃ，５０Ｍ，５０Ｙ，５０Ｋに対応する保留フラグのうち，ＯＮしているものがあるか否かを判断する（Ｓ４０１）。保留フラグにＯＮしているものがある場合には（Ｓ４０１：ＹＥＳ），少なくともＯＮしている保留フラグに対応するプロセス部について，ウォーミングアップを行う（Ｓ４１１）。これにより，電源投入時にウォーミングアップを行わなかったとしても，印刷前には必ずウォーミングアップを行うことになる。ウォーミングアップの後は，保留フラグをＯＦＦにする（Ｓ４１２）。
【００７７】
Ｓ１４２の後，あるいは保留フラグが全てＯＦＦの場合には（Ｓ４０１：ＮＯ），現像ローラ４１１と感光体１との配置関係を管理する圧接離間処理を実行する（Ｓ４０２，配置部の一例）。図９に，Ｓ４０２の圧接離間処理の手順を示す。
【００７８】
圧接離間処理では，先ず，プロセス部５０Ｋの現像ローラ４１１を感光体１に圧接させる（Ｓ４２１）。Ｋは，カラー印刷であってもモノクロ印刷であっても使用されるため，現像ローラ４１１は感光体１から離間させない。なお，既にプロセス部５０Ｋの現像ローラ４１１が感光体１に圧接されている場合には，Ｓ４２１を省略する。
【００７９】
次に，受信した印刷ジョブがモノクロ印刷を行うジョブか否かを判断する（Ｓ４２２）。受信した印刷ジョブがカラー印刷を行うジョブの場合には（Ｓ４２２：ＮＯ），ＹＭＣもそれぞれ使用されるため，プロセス部５０Ｙ，５０Ｍ，５０Ｃの各現像ローラ４１１をそれぞれに対応する感光体１に圧接させる（Ｓ４２５）。なお，既にプロセス部５０Ｙ，５０Ｍ，５０Ｃの各現像ローラ４１１が感光体１に圧接されている場合には，Ｓ４２５を省略する。
【００８０】
一方，受信した印刷ジョブがモノクロ印刷を行うジョブの場合には（Ｓ４２２：ＹＥＳ），ＹＭＣは使用されない。そこで，ＹＭＣの全てが大粒径カートリッジか否かを判断する（Ｓ４２３）。ＹＭＣのうち１つでも小粒径カートリッジがあれば（Ｓ４２３：ＮＯ），現像ローラ４１１の空回しを回避するため，プロセス部５０Ｙ，５０Ｍ，５０Ｃの各現像ローラ４１１をそれぞれに対応する感光体１から離間させる（Ｓ４２４）。
【００８１】
一方，ＹＭＣの全てが大粒径カートリッジであれば（Ｓ４２３：ＹＥＳ），次回の印刷ジョブでカラー印刷を行う場合に早期に印刷を開始するため，プロセス部５０Ｙ，５０Ｍ，５０Ｃの各現像ローラ４１１をそれぞれに対応する感光体１に圧接させる（Ｓ４２５）。なお，既にプロセス部５０Ｙ，５０Ｍ，５０Ｃの各現像ローラ４１１が感光体１に圧接されている場合には，Ｓ４２５を省略する。Ｓ４２４あるいはＳ４２５の後は，圧接離間処理を終了する。
【００８２】
図８の印刷処理の説明に戻り，Ｓ４０２の後は，全色が大粒径カートリッジか否かを判断する（Ｓ４０３）。全色が大粒径カートリッジであれば（Ｓ４０３：ＹＥＳ），現像ローラ４１１の回転数を制限する制御は行わないため，印刷ジョブの設定に従った印刷動作を開始する（Ｓ４３１）。Ｓ４３１の後は，印刷処理を終了する。
【００８３】
少なくとも１つに小粒径カートリッジが含まれている場合には（Ｓ４０３：ＮＯ），受信した印刷ジョブに半速印刷を行う設定があるか否かを判断する（Ｓ４０４）。本形態では，用紙種類にＡ４よりも幅が小さいサイズの用紙種類が指定されている場合に，半速印刷を行う設定があると判断する。
【００８４】
印刷ジョブに半速印刷を行う設定がある場合には（Ｓ４０４：ＹＥＳ），カートリッジの寿命が短くなる可能性がある旨の警告を報知する（Ｓ４４１）。その後，ユーザによって印刷を継続する指示が入力されたか否かを判断する（Ｓ４４２）。すなわち，半速印刷を行うと，現像ローラ４１１の空回しの期間が長くなる。そのため，カートリッジの寿命に悪影響が生じる可能性があることをユーザに報知し，さらに印刷を継続するか否かを問い合わせる。
【００８５】
ユーザによって印刷を継続する指示が入力された場合には（Ｓ４４２：ＹＥＳ），半速印刷による印刷動作を開始する（Ｓ４４４）。一方，ユーザによって印刷を継続する指示が入力されず，印刷ジョブをキャンセルする指示が入力された場合には（Ｓ４４２：ＮＯ），受信した印刷ジョブをメモリから消去し，当該印刷ジョブをキャンセルする（Ｓ４４３）。なお，印刷ジョブをキャンセルする場合には，設定を変更する旨の警告を報知してもよい。Ｓ４４３あるいはＳ４４４の後は，印刷処理を終了する。
【００８６】
一方，印刷ジョブに半速印刷を行う設定がない場合には（Ｓ４０４：ＮＯ），受信した印刷ジョブが２ページ以上のジョブであるか否かを判断する（Ｓ４０５）。印刷ジョブが２ページ以上のジョブである場合には（Ｓ４０５：ＹＥＳ），両面印刷を行う設定があるか否かを判断する（Ｓ４５１）。Ｓ４５１の判断対象の両面印刷には，印刷ジョブに設定されている両面印刷設定の他，プリンタ１００に設定されている自動両面印刷の設定も含まれる。
【００８７】
印刷ジョブに両面印刷を行う設定がある場合には（Ｓ４５１：ＹＥＳ），カートリッジの寿命が短くなる可能性がある旨の警告を報知する（Ｓ４５２）。その後，ユーザによって印刷を継続する指示が入力されたか否かを判断する（Ｓ４５３）。すなわち，両面印刷を行うと，カートリッジの寿命に悪影響が生じる可能性があることをユーザに報知し，さらに印刷を継続するか否かを問い合わせる。
【００８８】
ユーザによって印刷を継続する指示が入力された場合には（Ｓ４５３：ＹＥＳ），両面印刷動作を開始する（Ｓ４５４）。一方，ユーザによって印刷を継続する指示が入力されなかった場合（Ｓ４５３：ＮＯ），あるいは印刷ジョブに両面印刷を行う設定がなかった場合（Ｓ４５１：ＮＯ），あるいは印刷ジョブが２ページ以上のジョブではない場合には（Ｓ４０５：ＮＯ），片面印刷動作を開始する（Ｓ４０６）。Ｓ４０６あるいはＳ４５４の後は，印刷処理を終了する。
【００８９】
なお，本形態の印刷処理では，受信した印刷ジョブに半速印刷を行う設定があった場合（Ｓ４０４：ＹＥＳ），Ｓ４４２にてユーザからの許可があれば半速印刷を開始しているが，ユーザに問い合わせることなく半速印刷を禁止してもよい。すなわち，受信した印刷ジョブに半速印刷を行う設定があった場合（Ｓ４０４：ＹＥＳ），Ｓ４４１およびＳ４４２を省略してＳ４４３を実行してもよい。
【００９０】
また，本形態の印刷処理では，印刷ジョブに両面印刷を行う設定がある場合に（Ｓ４５１：ＹＥＳ），Ｓ４５３にてユーザからの許可があれば両面印刷を開始しているが，ユーザに問い合わせることなく両面印刷を禁止してもよい。すなわち，印刷ジョブに両面印刷を行う設定がある場合（Ｓ４５１：ＹＥＳ），Ｓ４５２およびＳ４５３を省略してＳ４０６に移行してもよい。
【００９１】
図５のジョブ受信処理の説明に戻り，Ｓ１１１の後，あるいは印刷ジョブを受信していない場合には（Ｓ１０３：ＮＯ），ＦＡＸジョブを受信したか否かを判断する（Ｓ１０４）。ＦＡＸジョブを受信した場合には（Ｓ１０４：ＹＥＳ），プロセス部５０を制御し，ＦＡＸジョブのＦＡＸデータを印刷するＦＡＸ受信処理を実行する（Ｓ１２１）。図１０に，Ｓ１２１のＦＡＸ処理の手順を示す。
【００９２】
ＦＡＸ受信処理では，先ず，Ｋが小粒径カートリッジか否かを判断する（Ｓ５０１）。Ｋが大粒径カートリッジであれば（Ｓ５０１：ＮＯ），ＹＭＣの全てが大粒径カートリッジか否かを判断する（Ｓ５０２）。ＹＭＣのうち少なくとも１つが小粒径カートリッジの場合（Ｓ５０２：ＮＯ），受信したＦＡＸデータがカラーデータか否かを判断する（Ｓ５１１）。
【００９３】
Ｋが小粒径カートリッジの場合（Ｓ５０１：ＹＥＳ），あるいはＹＭＣの少なくとも１つが小粒径カートリッジであってＦＡＸデータがカラーデータの場合（Ｓ５１１：ＹＥＳ），少なくとも１色が小粒径カートリッジを使用した印刷が行われることになる。そこで，受信したＦＡＸデータの印刷に先立って，ＦＡＸジョブの先頭ページの印刷イメージを表示部４１に表示する（Ｓ５２１）。すなわち，ＦＡＸ表示受信を行う。その後，ユーザによって印刷を実行する指示が入力されたか否かを判断する（Ｓ５２２）。
【００９４】
ユーザによって印刷を実行する指示が入力されず，ＦＡＸジョブをキャンセルする指示が入力された場合には（Ｓ５２２：ＮＯ），受信したＦＡＸジョブをメモリから消去し，当該ＦＡＸジョブの印刷をキャンセルする（Ｓ５２３）。
【００９５】
一方，ユーザによって印刷を実行する指示が入力された場合（Ｓ５２２：ＹＥＳ），あるいはＦＡＸデータがモノクロデータの場合（Ｓ５１１：ＮＯ），あるいはＹＭＣの全てが大粒径カートリッジの場合（Ｓ５０２：ＮＯ），ＦＡＸデータの印刷を行うＦＡＸ印刷処理を実行する（Ｓ５０３）。図１１に，Ｓ５０３のＦＡＸ印刷処理の手順を示す。
【００９６】
ＦＡＸ印刷処理では，先ず，現像ローラ４１１と感光体１との配置関係を管理する圧接離間処理を実行する（Ｓ５３１，配置部の一例）。Ｓ５３１の圧接離間処理は，図８のＳ４０２の圧接離間処理と同様であり，図９に示した圧接離間処理である。
【００９７】
次に，Ｋが小粒径カートリッジか否かを判断する（Ｓ５３２）。Ｋが大粒径カートリッジであれば（Ｓ５３２：ＮＯ），ＹＭＣの全てが大粒径カートリッジか否かを判断する（Ｓ５３３）。ＹＭＣの少なくとも１つが小粒径カートリッジの場合（Ｓ５３２：ＮＯ），あるいはＫが小粒径カートリッジであれば（Ｓ５３２：ＹＥＳ），複数ページのＦＡＸデータをＲＡＭ３３に展開した後に印刷を開始する。すなわち，ＦＡＸメモリ印刷を実行する。
【００９８】
具体的には，受信したＦＡＸジョブの，未展開のＦＡＸデータのうち，先頭の１ページ分をＲＡＭ３３に展開する（Ｓ５５１）。そして，全ページ分の展開が完了したか否かを判断する（Ｓ５５２）。全ページ分の展開が完了していない場合には（Ｓ５５２：ＮＯ），ＲＡＭ３３の空き容量が閾値容量以上か否かを判断する（Ｓ５５３）。ＲＡＭ３３の空き容量が閾値容量以上であれば（Ｓ５５３：ＹＥＳ），Ｓ５５１に戻り，さらに１ページ分のＦＡＸデータを展開する。すなわち，全ページ分の展開が完了するか，メモリがフルになるまでＦＡＸデータを展開する。
【００９９】
全ページ分の展開が完了した場合には（Ｓ５５２：ＹＥＳ），あるいはＲＡＭ３３の空き容量が閾値容量以上でなければ（Ｓ５５３：ＮＯ），各プロセス部５０Ｃ，５０Ｍ，５０Ｙ，５０Ｋに対応する保留フラグのうち，ＯＮしているものがあるか否かを判断する（Ｓ５６１）。保留フラグにＯＮしているものがある場合には（Ｓ５６１：ＹＥＳ），少なくともＯＮしている保留フラグに対応するプロセス部について，ウォーミングアップを行う（Ｓ５６２）。ウォーミングアップの後は，保留フラグをＯＦＦにする（Ｓ５６３）。なお，Ｓ５６１では，ＦＡＸデータがモノクロか否かを判断し，モノクロであれば，プロセス部５０Ｋに対応する保留フラグについてのみＯＮか否かを判断してもよい。
【０１００】
Ｓ５６３の後，あるいは保留フラグが全てＯＦＦの場合には（Ｓ５６１：ＮＯ），ＲＡＭ３３に展開したＦＡＸデータの印刷を開始する（Ｓ５６４）。その後，全ページの印刷が完了したか否かを判断する（Ｓ５６５）。未印刷のページがある場合には（Ｓ５６５：ＮＯ），Ｓ５５１に戻って，未印刷分のＦＡＸデータのＲＡＭ３３への展開を行う。一方，全ページの印刷が完了した場合には（Ｓ５６５：ＹＥＳ），ＦＡＸ印刷処理を終了する。
【０１０１】
一方，ＹＭＣの全てが大粒径カートリッジの場合（Ｓ５３３：ＹＥＳ），各プロセス部５０Ｃ，５０Ｍ，５０Ｙ，５０Ｋに対応する保留フラグのうち，ＯＮしているものがあるか否かを判断する（Ｓ５３４）。保留フラグにＯＮしているものがある場合には（Ｓ５３４：ＹＥＳ），少なくともＯＮしている保留フラグに対応するプロセス部について，ウォーミングアップを行う（Ｓ５３５）。ウォーミングアップの後は，保留フラグをＯＦＦにする（Ｓ５３６）。なお，Ｓ５３４では，ＦＡＸデータがモノクロか否かを判断し，モノクロであれば，プロセス部５０Ｋに対応する保留フラグについてのみＯＮか否かを判断してもよい。
【０１０２】
Ｓ５３６の後，あるいは保留フラグが全てＯＦＦの場合には（Ｓ５３４：ＮＯ），未展開のＦＡＸデータのうち，先頭の１ページ分をＲＡＭ３３に展開する（Ｓ５３７）。そして，ＲＡＭ３３に展開した１ページ分のＦＡＸデータの印刷を開始する（Ｓ５３８）。Ｓ５３８の後は，全ページ分の印刷が完了したか否かを判断する（Ｓ５３９）。全ページ分の印刷が完了していない場合には（Ｓ５３９：ＮＯ），Ｓ５３７に戻り，次のページの展開を行う。全ページの印刷が完了した場合には（Ｓ５３９：ＹＥＳ），ＦＡＸ印刷処理を終了する。
【０１０３】
図１０のＦＡＸ受信処理の説明に戻り，Ｓ５０３の後，ＦＡＸ受信処理を終了する。さらに，図５のジョブ受信処理の説明に戻り，Ｓ１２１の後，あるいはＦＡＸジョブを受信していない場合には（Ｓ１０４：ＮＯ），カバー１５が開状態から閉状態に移行したカバークローズが検知されているか否かを判断する（Ｓ１０５）。
【０１０４】
カバークローズが検知されている場合には（Ｓ１０５：ＹＥＳ），初期処理を実行する（Ｓ１３１，初期動作部，初期条件設定部の一例）。Ｓ１３１の初期処理は，Ｓ１０１の初期処理と同様であり，図６に示した初期処理である。
【０１０５】
Ｓ１３１の後，あるいはカバークローズが検知されていない場合には（Ｓ１０５：ＮＯ），電源のＯＦＦが検知されたか否かを判断する（Ｓ１０６）。電源のＯＦＦが検知されていない場合には（Ｓ１０６：ＮＯ），Ｓ１０２に戻り，補正処理以降の処理を繰り返す。電源のＯＦＦが検知されている場合には（Ｓ１０６：ＹＥＳ），ジョブ受信処理を終了する。
【０１０６】
以上詳細に説明したように，小粒径カートリッジは，現像ローラ４１１の回転数が多いほどカートリッジ外へのトナーの漏出が懸念される。そこで，本形態のプリンタ１００では，カートリッジの種類に応じて，現像ローラの回転数を制限する制御を行う。これにより，プリンタ１００に装着されている現カートリッジの特性を生かすことが期待できる。
【０１０７】
なお，本実施の形態は単なる例示にすぎず，本発明を何ら限定するものではない。したがって本発明は当然に，その要旨を逸脱しない範囲内で種々の改良，変形が可能である。例えば，プリンタに限らず，複合機，ＦＡＸ装置等，印刷機能を備えるものであれば適用可能である。
【０１０８】
また，実施の形態では，カートリッジのＩＣチップに小粒径カートリッジか否かの情報を持たせているが，重合トナーか粉砕トナーかの情報を持たせてもよい。この場合，プリンタ１００側で，重合トナーであれば，小粒径トナーであると判別する。また，トナーの平均粒径を記憶し，その平均粒径を基にプリンタ１００側で小粒径か否かを判断してもよい。小粒径と大粒径との閾値径は，トナーの材料や，求められる画質や寿命によって定義すればよい。実施の形態では，重量平均粒径が８μｍ以下であれば小粒径とする。
【０１０９】
また，実施の形態では，カートリッジから直接小粒径か大粒径かの情報を取得しているが，これに限るものではない。例えば，プリンタ１００は，カートリッジの型番に応じてどの種類に該当するかの情報を記憶するデータベースを備え，カートリッジのＩＣチップ等から型番を取得し，その型番とデータベースの情報とを照合することでカートリッジの種類を判別してもよい。
【０１１０】
また，実施の形態では，ウォーミングアップ，自動両面印刷，半速印刷，ＦＡＸメモリ印刷，ＦＡＸ表示受信，補正条件，およびＹＭＣ現像ローラ位置を，現カートリッジの種類に応じて制御しているが，必ずしもこれら全てについて制御する必要はない。すなわち，これらのうち少なくとも１つについて制御することで，現像ローラ４１１の回転数の低減が期待できる。
【０１１１】
また，実施の形態では，ＹＭＣを纏めて制御しているため，ＹＭＣのうち１つでも小粒径カートリッジであれば，小粒径カートリッジとして扱っているが，ＹＭＣをそれぞれ個別に制御するものであれば，各色を個別に判断してもよい。
【０１１２】
また，実施の形態では，ＫＹＭＣの各プロセス部で別々にウォーミングアップを行うようになっているが，全色同時にウォーミングアップを行う構成であってもよい。その場合，図４中の全色が大粒径カートリッジである事例２のみが「有」となり，その他の事例では少なくとも１色が小粒径カートリッジであることから「無」となる。
【０１１３】
また，実施の形態では，小粒径カートリッジか否かを区別し，制御を切り換えているが，カートリッジの種類としては現像ローラ４１１の回転数を制限したいトナーか否かによって区別できればよく，例えば，トナータンク４１２の容量によって分類される，大容量カートリッジか，小容量カートリッジかを区別し，制御を切り換えてもよい。
【０１１４】
上述した容量による分類の場合，例えば，大容量カートリッジに収容した場合，現像ローラ４１１が寿命に到達したとしても全てのトナーを使い切れる可能性が低い。具体的には，現像ローラ４１１の回転数によってカートリッジの使用寿命が規定されている場合，現像ローラ４１１が印刷に関与しない期間で多く回転すると，カートリッジの使用寿命に早期に到達してしまい，残っていたトナーが無駄になる。大容量カートリッジは，未使用のまま残るトナーの量が多くなる傾向にある。そのため，印刷に関与しない現像ローラ４１１の回転機会を減らした方が好ましい。そこで，大容量カートリッジであれば，実施の形態の小粒径カートリッジと同様の制御を行うことで，印刷に関与しない現像ローラ４１１の回転機会を減らし，現像ローラ４１１が寿命に達した時点での未使用のトナーの量を少なくすることが期待できる。なお，小容量と大容量との閾値容量は，例えば，ＩＳＯ標準パターンの印刷可能枚数で判断でき，実施の形態では７００枚以下であれば小容量とする。
【０１１５】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【０１１６】
４      現像装置
４１１  現像ローラ
４１２  トナータンク
３０    制御部
４１    表示部
５０    プロセス部
１００  プリンタ
【図１】
2013228650.tif 000003
【図２】
2013228650.tif 000004
【図３】
2013228650.tif 000005
【図４】
2013228650.tif 000006
【図５】
2013228650.tif 000007
【図６】
2013228650.tif 000008
【図７】
2013228650.tif 000009
【図８】
2013228650.tif 000010
【図９】
2013228650.tif 000011
【図１０】
2013228650.tif 000012
【図１１】
2013228650.tif 000013